(57)【要約】      （修正有）【課題】連続的にかつ自動的に液体を分析できる液体分析システムを提供する。【解決手段】液体分析システム１は、吸引口１０１が液体中に設置され、液体を汲み上げる採液ポンプ１００と、採液ポンプ１００と流体的に接続され、採液ポンプ１００によって汲み上げられた液体を遠心力によって異物と試料水とに分離する遠心分離器と、遠心分離器と流体的に接続され、遠心分離器から送られた試料水を分析する分析装置本体４００とを備える。【選択図】図１
2018128430.tif 000002
【特許請求の範囲】
【請求項１】
吸引口が液体中に設置され、前記液体を汲み上げる採液ポンプと、
前記採液ポンプと流体的に接続され、前記採液ポンプによって汲み上げられた前記液体を遠心力によって異物と試料水とに分離する遠心分離器と、
前記遠心分離器と流体的に接続され、前記遠心分離器から送られた前記試料水を分析する分析装置本体と
を備える液体分析システム。
【請求項２】
前記遠心分離器は、
汲み上げられた前記液体を溜めることができ、中心軸まわりに回転可能である回転容器と、
前記回転容器内で前記中心軸と同心に配置され、前記中心軸について対称な形状を有し、側部には前記分析装置本体に送るための前記試料水を採取する採取口が設けられている構造体と
をさらに備える、請求項１に記載の液体分析システム。
【請求項３】
前記構造体の下端位置は、前記回転容器内において所定量の前記液体で満たされたときの液深の１０〜９０％である、請求項２に記載の液体分析システム。
【請求項４】
前記構造体の最大径は、前記回転容器の内径の１０〜９０％である、請求項２または請求項３に記載の液体分析システム。
【請求項５】
前記回転容器の下部には排液口が設けられている、請求項２から請求項４のいずれか１項に記載の液体分析システム。
【請求項６】
前記回転容器の下部には注液口が設けられている、請求項２から請求項５のいずれか１項に記載の液体分析システム。
【請求項７】
前記回転容器の上部中央には洗浄液の注入口が設けられ、
前記構造体の上部は円錐形状を有する、請求項２から請求項６のいずれか１項に記載の液体分析システム。
【請求項８】
前記回転容器と前記分析装置本体との間に配置されたフィルタであって、前記試料水をろ過するためのフィルタをさらに備える、請求項２から請求項７のいずれか１項に記載の液体分析システム。
【請求項９】
前記回転容器から前記試料水を吸い出し、前記分析装置本体に向けて送るための送液ポンプと、
前記フィルタを通過したろ液を間欠的に逆流させるように前記送液ポンプを制御するフィルタ清掃制御部を有する制御装置と
をさらに備える、請求項８に記載の液体分析システム。
【請求項１０】
前記回転容器の回転中に前記送液ポンプを駆動して前記回転容器から前記試料水を吸い出し、前記分析装置本体に向けて送る回転中送液制御部を有する制御装置をさらに備える、請求項９に記載の液体分析システム。
【請求項１１】
前記回転容器から前記試料水を吸い出し、前記分析装置本体に向けて送るための送液ポンプと、
前記回転容器の回転中に前記送液ポンプを駆動して前記回転容器から前記試料水を吸い出し、前記分析装置本体に向けて送る回転中送液制御部を有する制御装置と
をさらに備える、請求項２から請求項８のいずれか１項に記載の液体分析システム。
【請求項１２】
液体源から液体を直接汲み上げ、
前記液体を遠心分離器に送り、
前記遠心分離器によって、前記液体を異物と試料水とに分離し、
前記試料水を分析装置本体に送り、
前記分析装置本体によって前記試料水を分析する
ことを自動的にかつ連続的に行う液体分析方法。
【請求項１３】
前記遠心分離器において、前記液体を前記異物と前記試料水とに分離するとき、前記試料水として、前記遠心分離器の内壁近傍の領域と前記遠心分離器の回転中心近傍の領域とを除く領域内の前記液体を前記試料水として前記遠心分離器の回転中に採取することをさらに含む、請求項１２に記載の液体分析方法。
【請求項１４】
前記遠心分離器において、下部から前記液体を注入および排出し、上部から洗浄液を注入することをさらに含む、請求項１２または請求項１３に記載の液体分析方法。
【請求項１５】
前記遠心分離器と前記分析装置本体の間に配置されたフィルタをさらに準備し、
前記遠心分離器と前記分析装置本体との間に介在された前記試料水を前記フィルタによってろ過することをさらに含む、請求項１２から請求項１４のいずれか１項に記載の液体分析方法。
【請求項１６】
前記ろ過された前記試料水を間欠的に逆流させて前記フィルタを洗浄することをさらに含む、請求項１５に記載の液体分析方法。
【発明の詳細な説明】
【技術分野】
【０００１】
本発明は、液体分析システムおよび液体分析方法に関する。
【背景技術】
【０００２】
河川水、湖沼水、海水、または工場排水などの水質分析が様々な方法で行われている。特に、水中に溶存している物質を分析するためには、懸濁あるいは浮遊している異物を分析前に除去することが必要となる。例えば、特許文献１には、懸濁あるいは浮遊している異物をフィルタによって除去した後に試料液を分析する方法が開示されている。
【先行技術文献】
【特許文献】
【０００３】
【特許文献１】国際公開第２００８／６６００３号公報
【発明の概要】
【発明が解決しようとする課題】
【０００４】
特許文献１に開示されているような液体分析では、海や湖などから試料となる液体を採取し、採取した液体を分析装置に投入する必要がある。従って、自動的に液体を分析することができない。また、特許文献１に開示されているような液体分析では、非常に目の細かいフィルタを使用することがある。しかし、分析する液体中には、固形物（砂粒子等）、枯葉、または海藻などの様々な大きさの異物が混入しているため、そのような目の細かいフィルタを使用すると、フィルタが目詰まりを起こす。従って、分析ごとにフィルタを交換する必要があり、連続的に液体を分析できない。
【０００５】
本発明は、自動的にかつ連続的に液体を分析できる液体分析システムを提供することを課題とする。
【課題を解決するための手段】
【０００６】
本発明の液体分析システムは、液体中に設置され、前記液体を汲み上げる採液ポンプと、前記採液ポンプと流体的に接続され、前記採液ポンプによって汲み上げられた前記液体を遠心力によって異物と試料液とに分離する遠心分離器と、前記遠心分離器と流体的に接続され、前記遠心分離器から送られた前記試料水を分析する分析装置本体とを備える。
【０００７】
この構成によれば、河川水、湖沼水、海水、または工場排水などの液源から分析装置本体まで、各構成要素が流体的に接続されており、即ちインラインで構成されている。そのため、液源から液体を採取し、液体から異物を除去し、異物が除去された液体を分析するという一連の流れを自動化でき、即ち自動的に液体を分析できる。また、異物の除去のためにフィルタを使用せずに遠心分離器を使用しているため、フィルタの交換を要することなく連続的に液体を分析できる。
【０００８】
前記遠心分離器は、汲み上げられた前記液体を溜めることができ、中心軸まわりに回転可能である回転容器と、前記回転容器内で前記中心軸と同心に配置され、前記中心軸について対称な形状を有し、側部には前記分析装置本体に送るための前記試料水を採取する採取口が設けられている構造体とをさらに備えてもよい。
【０００９】
この構成によれば、回転容器内で中心軸と同心に構造体を設けることで、回転容器内において中心軸付近に通常できるはずの気泡を含む渦の発生を防止できる。中心軸付近に気泡を含む渦が発生すると、採水の際に気泡を巻き込むことによって分析に支障が出るおそれがある。従って、これを防止できることは有効である。また、異物を遠心力によって分離する際、異物の比重によって異物の集まる位置が異なる。具体的には、回転容器の内壁近傍領域には比重の相対的に大きな異物が集まり、回転容器の中央の構造体の下方領域には比重の相対的に小さな異物が集まる。そのため、構造体の側部に採取口を設けていることで、回転容器の内壁近傍領域と、回転容器の中央の構造体の下方領域とを避け、即ち異物が集まっていない部分の液体を試料水として採取できる。
【００１０】
前記構造体の下端位置は、前記回転容器内において所定量の前記液体で満たされたときの液深の１０〜９０％であってもよい。また、前記構造体の最大径は、前記回転容器の内径の１０〜９０％であってもよい。
【００１１】
この構成によれば、中心軸の軸方向においては、回転容器内の液面に浮いている異物と回転容器内中央の下方領域に集められている比重の相対的に小さい異物とを避ける位置に採取口を設けているため、異物が除去された試料水を得ることができる。また、中心軸の径方向においては、回転容器の内壁近傍領域に集められた比重の相対的に大きな異物と、回転容器の中央の構造体の下方領域に集められた比重の相対的に小さな異物とを避ける位置に採取口を設けているため、異物が除去された試料水を得ることができる。
【００１２】
前記回転容器の下部には排液口が設けられていてもよい。前記回転容器の下部には注液口が設けられていてもよい。
【００１３】
これらの構成によれば、回転容器の下部に注液口が設けられているため、回転容器に液体を注入する際、液体が勢いよく流れ落ちず、回転容器内の液体が撹拌されることを防止できる。従って、試料水と異物とが混合されることを防止できる。また、回転容器の下部に排液口が設けられているため、回転容器から液体を排出する際、回転容器の内面を洗浄でき、さらに異物が回転容器内に残存することを防止できる。
【００１４】
前記回転容器の上部中央には洗浄液の注入口が設けられ、前記構造体の上部は円錐形状を有してもよい。
【００１５】
この構成によれば、回転容器の上部中央に洗浄液の注入口が設けられているため、洗浄液を上部から注入できる。さらに、構造体の上部は円錐形状を有するため、注入口から注入された洗浄液は構造体の上部の円錐形状に当たり、回転容器の内壁に向かって飛散する。従って、回転容器の内壁を飛散する洗浄液によって洗浄できる。
【００１６】
前記液体分析システムは、前記回転容器と前記分析装置本体との間に介在された前記試料水をろ過するためのフィルタをさらに備えてもよい。
【００１７】
この構成によれば、遠心分離器で分離しきれなかった異物をフィルタによって除去できる。また、フィルタを遠心分離器の下流に設けており、フィルタの目詰まりの原因となる異物を予め除去しているため、フィルタの目詰まりを抑制できる。即ち、フィルタのみを設置した場合と比べてフィルタを交換するまでの期間を長くでき、連続的な運転時間を延長できる。
【００１８】
前記液体分析システムは、前記回転容器から前記試料水を吸い出し、前記分析装置本体に向けて送るための送液ポンプと、前記フィルタを通過したろ液を間欠的に逆流させるように前記送液ポンプを制御するフィルタ清掃制御部を有する制御装置とをさらに備えてもよい。
【００１９】
この構成によれば、フィルタを通過したろ液によって、フィルタを洗浄できるため、フィルタの目詰まりを抑制できる。従って、何もしない場合と比べてフィルタを交換するまでの期間を長くでき、連続的な運転時間を延長できる。
【００２０】
前記液体分析システムは前記回転容器の回転中に前記送液ポンプを駆動して前記回転容器から前記試料水を吸い出し、前記分析装置本体に向けて送る回転中送液制御部を有する制御装置をさらに備える。
【００２１】
遠心分離により懸濁物等を分離しても、回転容器の回転を止めてしまうと分離した異物が再び拡散されてしまうが、この構成によれば、回転容器の回転中に送液できるため、異物を分離した試料水のみを分析装置本体に送ることができる。
【００２２】
本発明の液体分析方法は、液体源から液体を直接汲み上げ、前記液体を遠心分離器に送り、前記遠心分離器によって、前記液体を異物と試料水とに分離し、前記試料水を分析装置本体に送り、前記分析装置本体によって前記試料水を分析することを自動的にかつ連続的に行う。
【００２３】
前記液体分析方法は、前記遠心分離器において、前記液体を前記異物と前記試料水とに分離するとき、前記試料水として、前記遠心分離器の内壁近傍の領域と前記遠心分離器の回転中心近傍の領域とを除く領域内の前記液体を前記試料水として採取することをさらに含んでもよい。
【００２４】
前記液体分析方法は、前記遠心分離器において、下部から前記液体を注入および排出し、上部から洗浄液を注入することをさらに含んでもよい。
【００２５】
前記液体分析方法は、前記遠心分離器と前記分析装置本体の間に配置されたフィルタをさらに準備し、前記遠心分離器と前記分析装置本体との間に介在された前記試料水を前記フィルタによってろ過することをさらに含んでもよい。
【００２６】
前記液体分析方法は、前記ろ過された前記試料水を間欠的に逆流させて前記フィルタを洗浄することをさらに含んでもよい。
【発明の効果】
【００２７】
本発明によれば、液体分析システムにおいて、各構成要素がインラインで構成されているため、自動的にかつ連続的に液体を分析できる液体分析システムを提供できる。
【図面の簡単な説明】
【００２８】
【図１】本発明の実施形態に係る液体分析システムのシステム図。
【図２】一次フィルタ部の詳細を示す部分断面図。
【図３】二次フィルタの詳細を示す正面図。
【図４】液体分析システムの制御ブロック図。
【図５】一次フィルタ部と二次フィルタ部による異物の除去が分析に及ぼす影響を示すグラフ。
【発明を実施するための形態】
【００２９】
以下、添付図面を参照して本発明の実施形態を説明する。
【００３０】
図１に示すように、本実施形態の液体分析システム１は、採液ポンプ１００と、一次フィルタ部２００と、二次フィルタ部３００と、分析装置本体４００と、制御装置５００とを備える。採液ポンプ１００、一次フィルタ部２００、二次フィルタ部３００、および分析装置本体４００は流体的に接続されており、即ちこれらはインラインで構成されている。また、一次フィルタ部２００には洗浄液タンク２１０が流体的に接続されている。液体分析システム１は、採液ポンプ１００によって汲み上げられた液体を一次フィルタ部２００および二次フィルタ部３００によって異物と試料水とに分離し、分析装置本体４００によって試料水を分析するものである。分析対象の液体は、河川水、湖沼水、海水、または工場排水などである。本実施形態では、海水中に溶存する硝酸態窒素、亜硝酸態窒素、およびアンモニア態窒素などの栄養塩の濃度を分析する。
【００３１】
本実施形態の採液ポンプ１００は、浮体式であり、海水面上に浮かされて使用される。採液ポンプ１００は、吸引口１０１から分析対象である海水を汲み上げ、一次フィルタ部２００に送る。但し、採液ポンプ１００の態様は、浮体式以外であってもよく、例えば水中に沈む沈体式であってもよい。また、吸引口１０１が海水中に設置されていれば、採液ポンプ１００自体は設置場所を問わず、任意の場所に設置され得る。
【００３２】
図２に示すように、一次フィルタ部２００には、遠心分離器２２０が設けられている。遠心分離器２２０は、汲み上げられた海水を溜めることが可能であり、中心軸Ｌまわりに回転可能である回転容器２２１を備える。また遠心分離器２２０は、回転容器２２１内で中心軸Ｌと同心に配置され、中心軸Ｌについて対称な形状を有し、側部には分析装置本体４００に送るための試料水を採取する採取口２２２ｃが設けられている構造体２２２を備える。
【００３３】
回転容器２２１は、概ね下に凸の円錐状の容器からなり、中心軸Ｌについて対称な形状を有している。回転容器２２１の上部中央には洗浄液の注入口２２１ａが設けられており、注入口２２１ａは洗浄液タンク２１０（図１参照）と接続されている。また、この注入口２２１ａは回転容器２２１内において延びる洗浄液管２２１ｂと接続されており、洗浄液タンク２１０から送られた洗浄液は洗浄液管２２１ｂを通って回転容器２２１内に注入される。また、回転容器２２１の下部には海水が注水および排水される注液口（排液口）２２１ｃが設けられている。本実施形態では、注液口２２１ｃと排液口２２１ｃは共通である。注液口（排液口）２２１ｃからは下方に向かって支持管２２１ｄが延びている。支持管２２１ｄは回転容器２２１と一体に設けられている。支持管２２１ｄのまわりには、モータ２３０に連結された駆動機構２３１が配置されており、駆動機構２３１は回転容器２２１とねじ止めによって締結されている。また、支持管２２１ｄのまわりおよび洗浄液管２２１ｂのまわりには、軸受機構２３２が配置されている。そのため、回転容器２２１は軸受機構２３２によって支持管２２１ｄと洗浄液管２２１ｂとが支持された状態で、モータ２３０からの駆動力を受けた駆動機構２３１によって回転される。また、支持管２２１ｄは、下端でＴ字型継手２４０に接続されている。Ｔ字型継手２４０から側方に延びる配管２４１は採液ポンプ１００に接続され、Ｔ字型継手２４０から下方に延びる配管２４２は電磁弁２４３を介して海水に向かって開放されている。即ち、Ｔ字型継手２４０において、海水は、矢印Ａの向きに回転容器２２１に向かって採液ポンプ１００によって汲み上げられ、矢印Ｂの向きに回転容器２２１から自重によって排水される。また、電磁弁２４３は、後述するように制御装置５００によって開閉制御されている。
【００３４】
構造体２２２は、中心軸Ｌに沿った方向に延びた概ね円柱状である。構造体２２２の上部には円錐部２２２ａが設けられており、円錐部２２２ａは中心軸Ｌから径方向外側へ円形状に広がり、かつ下方へ向かって傾斜した円錐形状を有している。構造体２２２の下部には球面部２２２ｂが設けられており、球面部２２２ｂは半球形状を有している。球面部２２２ｂが半球状であることで、回転容器２２１が回転しているときの液体の流れを阻害しない。この観点で言えば、構造体２２２の下部の形状は、半球形状に限定されず、液体の流れを阻害しないような平坦形状または円錐形状などの形状でもあり得る。構造体２２２の下方側部には、回転容器内の海水を分析装置本体４００に送るために試料水として採取する採取口２２２ｃが設けられている。本実施形態では、採取口２２２ｃは、中心軸Ｌまわりに構造体２２２の周上に等間隔に４個設けられている。採取口２２２ｃは構造体２２２内を中心軸Ｌに沿って上方に延びる採取管２２２ｄを通じて二次フィルタ部３００に接続されている。採取管２２２ｄと洗浄液管２２１ｂは部分的に二重管構造を形成しており、回転容器２２１の上方では、内側に採取管２２２ｄが配置され、外側に洗浄液管２２１ｂが配置されている。
【００３５】
構造体２２２の外形を詳細に説明すると、構造体２２２の上端は回転容器２２１の上端近傍に位置し、下端は所定量の海水で回転容器２２１が満たされたとき（破線参照）の液深の７０％程度に位置している。ここで、所定量の液体とは、海水を遠心分離器２２０によって異物と試料水に分離するに適した量の液体であり、本実施形態では、通常、回転容器２２１が満水状態で運転される。特に、構造体２２２の下端は、この所定量の液体で回転容器２２１が満たされたときの液深の１０〜９０％に位置していることが好ましい。即ち、構造体２２２の下端は、回転容器２２１の上限および下限付近には位置しないことが好ましい。また、中心軸Ｌ方向から見て、構造体２２２の最大径は、２５％程度である。ここで、構造体２２２の最大径は、回転容器２２１の内径の１０〜９０％であることが好ましい。即ち、構造体２２２の外表面は、回転容器２２１の内壁付近および中心軸Ｌ付近には位置しないことが好ましい。このようにすることで、中心軸Ｌの径方向においては、回転容器２２１の内壁近傍領域に集められた比重の相対的に大きな異物と、回転容器２２１の中央の構造体２２２の下方領域に集められた比重の相対的に小さな異物とを避ける位置に採取口２２２ｃを設けることができ、異物が除去された試料水を得ることができる。また、中心軸Ｌの軸方向においては、回転容器２２１内の液面に浮いている異物と回転容器２２１内の底面に沈んでいる異物とを避ける位置に採取口２２２ｃを設けることができ、異物が除去された試料水を得ることができる。また、一次フィルタ部２００では、上記の回転容器２２１がケーシング２５０に収容され、複数か所でケーシング２５０に対してねじ止めによって固定されている。
【００３６】
図３に示すように、二次フィルタ部３００には、メンブレンフィルタ（フィルタ）３１０が設けられている。本実施形態のメンブレンフィルタ３１０は、例えば孔径０．４５μｍ，１．２μｍ，８．０μｍの三つの孔径のフィルタを組み合わせたフィルタである。メンブレンフィルタ３１０の下方には送液ポンプ３２０が設けられており、送液ポンプ３２０は配管３２１を通じて一次フィルタ部２００の採取管２２２ｄと、メンブレンフィルタ３１０の下面に接続されている。送液ポンプ３２０は、順回転および逆回転可能であり、後述するように制御装置５００によって駆動制御されている。ここで送液ポンプ３２０を順回転駆動すると、下から上へ向かってメンブレンフィルタ３１０を通過するように矢印Ｃの向きに液体を送ることになり、送液ポンプ３２０を逆回転駆動すると、上から下へ向かってメンブレンフィルタ３１０を通過するように矢印Ｄの向きに液体を送ることになる。遠心分離器２２０で液体から異物を除去された配管３２１内の試料水は送液ポンプ３２０によって動力を得て、メンブレンフィルタ３１０を下から上へ通過する。このとき、メンブレンフィルタ３１０によって、試料水がさらにろ過される。メンブレンフィルタ３１０の上方にはろ液タンク３３０が設けられており、メンブレンフィルタ３１０によってろ過されたろ液をろ液タンク３３０に溜めることができる。ろ液タンク３３０の上部の中央には配管３２２が接続されており、配管３２２は分析装置本体４００に延びている。
【００３７】
図４に示すように、制御装置５００は、電磁弁制御部５１０とフィルタ清掃制御部５２０と回転中送液制御部５３０とを備える。電磁弁制御部５１０は、回転容器２２１の排液口２２１ｃを開閉する電磁弁２４３を制御する。また、フィルタ清掃制御部５２０は、通常順回転駆動する送液ポンプ３２０を制御し、間欠的に逆回転駆動させ、メンブレンフィルタ３１０を通過したろ液を逆流させる。送液ポンプ３２０を逆回転駆動すると、ろ液タンク３３０内のろ液が逆流し、即ちメンブレンフィルタ３１０を上から下に通過する（図３の矢印Ｄ参照）。これにより、所定時間ごとにメンブレンフィルタ３１０を清掃できる。ここで、所定時間はメンブレンフィルタ３１０の性質等によって異なり、メンブレンフィルタ３１０の清掃に適した時間を設定し得る。また、回転中送液制御部５３０は、送液ポンプ３２０を制御し、回転容器２２１の回転中に送液ポンプ３２０を駆動して回転容器２２１から試料水を吸い出し、二次フィルタ部３００および分析装置本体４００に向けて送る。仮に、遠心分離により懸濁物等を分離しても、回転容器２２１の回転を止めてしまうと分離した異物が再び拡散されてしまうが、この制御により、回転容器２２１の回転中に送液できるため、異物を分離した試料水のみを分析装置本体に送ることができる。なお、この回転容器２２１の回転中の送液は、例えば、回転容器２２１の回転を検出するセンサ（図示せず）からの信号に基づいて実行されてもよいし、特にそのような信号を検出せず、回転容器２２１に対する回転開始命令後に実行されてもよい。
【００３８】
分析装置本体４００（図１参照）は、一次フィルタ部２００および二次フィルタ部３００にて、懸濁または浮遊している異物が除去された試料水を分析する。分析原理としては、流れ分析法を使用し得る。さらに言えば、流れ分析法の中でもフローインジェクション（ＦＩＡ）分析法を使用し得る。具体的には、ＪＩＳ Ｋ０１７０：２０１１の流れ分析法による水質試験方法を採用する。栄養塩を含む海水に規定の反応液を混ぜると、対象とする栄養塩の種類と濃度に応じて発色するため、特定波長の吸光度を測定することで栄養塩濃度を得ることができる。例えば、亜硝酸態窒素には塩酸酸性ナフチルエチレンジアミン発色ＦＩＡ法、硝酸態窒素にはカドミウム還元・塩酸酸性ナフチルエチレンジアミン発色ＦＩＡ法、およびアンモニア態窒素にはフェノールによるインドフェノール青発色ＦＩＡ法を使用し、吸光度を測定し、栄養塩濃度を分析できる。
【００３９】
図５に示すように、懸濁または浮遊している異物が除去されていない海水と、一次フィルタ部２００のみ通過した試料水（一次フィルタのみ）と、一次フィルタ部２００および二次フィルタ部３００を通過した試料水（一次フィルタ＋二次フィルタ）とを、吸光度の観点から比較している。海水の吸光度が０．１２程度であるのに対し、一次フィルタ部２００の通過後の吸光度は大きく減少して０．０４程度となっている。さらに、二次フィルタ部３００を追加することで０．０００４程度まで吸光度を低下させている。従って、懸濁物による光の散乱という外乱の無い状態で高精度に分析できる。
【００４０】
本実施形態によれば、海水などの液源から分析装置本体４００まで、各構成要素が流体的に接続されており、即ちインラインで構成されている。そのため、海中から海水を採取し、海水から異物を除去し、異物が除去された試料水を分析するという一連の流れを自動化でき、即ち自動的かつ連続的に海水を分析できる。
【００４１】
また、回転容器２２１内で中心軸Ｌと同心に構造体２２２を設けることで、回転容器２２１内において中心軸Ｌ付近に通常できるはずの気泡を含む渦の発生を防止できる。中心軸Ｌ付近に気泡を含む渦が発生すると異物を遠心力によって分離する際の障害となり得るのでこれを防止できることは有効である。また、異物を遠心力によって分離する際、異物の比重によって異物の集まる位置が異なる。具体的には、回転容器２２１の内壁近傍領域には比重の相対的に大きな異物が集まり、回転容器２２１の中央の構造体２２２の下方領域には比重の相対的に小さな異物が集まる。そのため、構造体２２２の側部に採取口２２２ｃを設けていることで、回転容器２２１の内壁近傍領域と、回転容器２２１の中央の構造体２２２の下方領域とを避け、即ち異物が集まっていない部分の液体を試料水として採取できる。
【００４２】
また、回転容器２２１の下部に注液口（排液口）２２１ｃが設けられているため、回転容器２２１に海水を注入する際、海水が落下等せず、回転容器２２１内の海水が撹拌されることを防止できる。従って、試料水と異物とが混合されることを防止できる。
【００４３】
また、回転容器２２１の上部中央に洗浄液の注入口２２１ａが設けられているため、洗浄液を上部から注入できる。さらに、構造体２２２の上部は円錐部２２２ａを有するため、注入口から注入された洗浄液は構造体２２２の上部の円錐部２２２ａに当たり、回転容器２２１の内壁に向かって飛散する。従って、回転容器２２１の内壁を飛散する洗浄液によって洗浄できる。
【００４４】
また、遠心分離器２２０で分離しきれなかった異物をメンブレンフィルタ３１０によって除去できる。また、メンブレンフィルタ３１０を遠心分離器２２０の下流に設けており、メンブレンフィルタ３１０の目詰まりの原因となる異物を予め除去しているため、メンブレンフィルタ３１０の目詰まりを抑制できる。即ち、メンブレンフィルタ３１０のみを設置した場合と比べてメンブレンフィルタ３１０を交換するまでの期間を長くでき、連続的な運転時間を延長できる。
【００４５】
また、フィルタ清掃制御部５２０による制御のため、メンブレンフィルタ３１０を通過したろ液によって、間欠的にメンブレンフィルタ３１０を洗浄でき、メンブレンフィルタ３１０の目詰まりを抑制できる。従って、何もしない場合と比べてメンブレンフィルタ３１０を交換するまでの期間を長くでき、連続的な運転時間を延長できる。
【００４６】
また、回転容器２２１の下部に注液口（排液口）２２１ｃが設けられているため、回転容器２２１の下部から排水できる。排水によって、回転容器２２１の内壁を洗浄するとともに、残存ずる異物等を排除できる。
【符号の説明】
【００４７】
１  液体分析システム
１００  採液ポンプ
１０１  吸引口
２００  一次フィルタ部
２１０  洗浄液タンク
２２０  遠心分離器
２２１  回転容器
２２１ａ  注入口
２２１ｂ  洗浄液管
２２１ｃ  注液口（排液口）
２２１ｄ  支持管
２２２  構造体
２２２ａ  円錐部
２２２ｂ  球面部
２２２ｃ  採取口
２２２ｄ  採取管
２３０  モータ
２３１  駆動機構
２３２  軸受機構
２４０  Ｔ字型継手
２４１，２４２  配管
２４３  電磁弁
２５０  ケーシング
３００  二次フィルタ部
３１０  メンブレンフィルタ（フィルタ）
３２０  送液ポンプ
３２１，３２２  配管
３３０  ろ液タンク
４００  分析装置本体
５００  制御装置
５１０  電磁弁制御部
５２０  フィルタ清掃制御部
５３０  回転中送液制御部
【図１】
2018128430.tif 000003
【図２】
2018128430.tif 000004
【図３】
2018128430.tif 000005
【図４】
2018128430.tif 000006
【図５】
2018128430.tif 000007